(57)【要約】【課題】框体の縦辺に設けられる加熱発泡材について部品を追加することなく機械的に固定することのできる開口部装置を提供する。【解決手段】建物開口部に設けられる枠体１内に障子３を納めてなり、障子３は框体４内にパネル体５を納めて構成され、枠体１の内周面と対向する框体４の外周面には、加熱発泡材４５と、加熱発泡材４５を保持する保持部７３を有した固定部材７０とが固定される。固定部材７０は、框体４の外周面に対して当接し固定される固定面部７１を有し、保持部７３は固定面部７１と段部７２を介し連続して、框体４の外周面との間に加熱発泡材４５の一部を納める隙間部７４を形成する【選択図】図３
2014109092.tif 000002
【特許請求の範囲】
【請求項１】
建物開口部に設けられる枠体内に障子を納めてなり、該障子は框体内にパネル体を納め
て構成された開口部装置において、
前記枠体の内周面と対向する前記框体の外周面には、加熱発泡材と、該加熱発泡材を保
持する保持部を有した固定部材とが固定されることを特徴とする開口部装置。
【請求項２】
前記固定部材は、前記框体の外周面に対して当接し固定される固定面部を有し、前記保
持部は前記固定面部と段部を介し連続して、前記框体の外周面との間に前記加熱発泡材の
一部を納める隙間部を形成することを特徴とする請求項１記載の開口部装置。
【請求項３】
前記框体は内周側に前記パネル体の周縁部を納めるパネル体保持溝を有し、該パネル体
保持溝は前記框体の外周面及び該外周面の室内外端部からそれぞれ見付方向内側に向かっ
て伸びる室内外面で断面凹状をなし、前記パネル体保持溝内にはパネル体保持金具が設け
られると共に、該パネル体保持金具と前記框体の外周面及び前記固定部材とが共締めされ
ることを特徴とする請求項１または２記載の開口部装置。
【発明の詳細な説明】
【技術分野】
【０００１】
本発明は、枠体内に障子を納めてなり、障子を構成する框体に加熱発泡材を設けて火災
発生時には枠体と框体の間の隙間を塞ぐようにした開口部装置に関し、特に縦辺に配置さ
れる加熱発泡材について部品を増加させることなく固定できるようにした開口部装置に関
する。
【背景技術】
【０００２】
建物開口部に設けられる枠体内に障子を納めた開口部装置としては、引き違いサッシや
開き窓サッシなどがある。これらの開口部装置においては、火災発生時に枠体と障子の間
に隙間を生じさせないようにすることが求められる。このために、枠体の内周面と障子を
構成する框体の外周面との間に、加熱発泡材を配置している。
【０００３】
加熱発泡材は、火災時の高温に晒されることで発泡して体積が増加するシート状の部材
であり、これを例えば框体の外周面に貼付するなどして固定している。加熱発泡材により
火災発生時に枠体と障子の間の隙間を塞ぐ開口部装置としては、例えば特許文献１に挙げ
るようなものがある。
【先行技術文献】
【特許文献】
【０００４】
【特許文献１】特開２０１２−１２２３０３号公報
【発明の概要】
【発明が解決しようとする課題】
【０００５】
加熱発泡材を框体の縦辺に設ける場合、加熱発泡材は粘着テープなどによって固定され
るが、経年劣化による剥離や落下の可能性もあるため、ネジやリベットなどにより機械的
にも固定される。この場合、ネジやリベットなどを框体に対して挿通する必要があるが、
框体の構造によってはそのスペースが確保できない場合がある。また、ネジ止めやリベッ
ト止めを行う工程が必要となるため、組立の作業性が悪くなるという問題もあった。
【０００６】
本発明は前記課題を鑑みてなされたものであり、框体の縦辺に設けられる加熱発泡材に
ついて部品を追加することなく機械的に固定することのできる開口部装置を提供すること
を目的とする。
【課題を解決するための手段】
【０００７】
前記課題を解決するため、請求項１の発明に係る開口部装置は、建物開口部に設けられ
る枠体内に障子を納めてなり、該障子は框体内にパネル体を納めて構成された開口部装置
において、
前記枠体の内周面と対向する前記框体の外周面には、加熱発泡材と、該加熱発泡材を保
持する保持部を有した固定部材とが固定されることを特徴として構成されている。
【０００８】
請求項１に係る発明によれば、固定部材によって加熱発泡材を保持するので、加熱発泡
材のネジ止めを不要とすることができる。
【０００９】
また、請求項２の発明に係る開口部装置は、前記固定部材は、前記框体の外周面に対し
て当接し固定される固定面部を有し、前記保持部は前記固定面部と段部を介し連続して、
前記框体の外周面との間に前記加熱発泡材の一部を納める隙間部を形成することを特徴と
して構成されている。
【００１０】
請求項２に係る発明によれば、簡単な構造で加熱発泡材を保持できるようにすると共に
、固定面部により框体を補強することもできる。
【００１１】
さらに、請求項３の発明に係る開口部装置は、前記框体は内周側に前記パネル体の周縁
部を納めるパネル体保持溝を有し、該パネル体保持溝は前記框体の外周面及び該外周面の
室内外端部からそれぞれ見付方向内側に向かって伸びる室内外面で断面凹状をなし、前記
パネル体保持溝内にはパネル体保持金具が設けられると共に、該パネル体保持金具と前記
框体の外周面及び前記固定部材とが共締めされることを特徴として構成されている。
【００１２】
請求項３に係る発明によれば、パネル体保持溝を火災時に補強するパネル体保持金具を
固定する裏板に保持部が設けられることになり、部品を追加することなく加熱発泡材を保
持することができる。
【発明の効果】
【００１３】
本発明に係る開口部装置によれば、框体の縦辺に設けられる加熱発泡材について部品を
追加することなく機械的に固定することができ、経年劣化や火災時の高温によって加熱発
泡材が落下、剥離することを防止することができる。
【図面の簡単な説明】
【００１４】
【図１】第１の実施形態におけるサッシの縦断面図である。
【図２】第１の実施形態におけるサッシの横断面図である。
【図３】図１のうち外障子の枠側縦框付近拡大図である。
【図４】固定部材の正面図である。
【図５】固定部材及び加熱発泡材を取付けた枠側縦框の外周側から見た側面図である。
【図６】第２の実施形態におけるサッシの縦断面図である。
【図７】第２の実施形態におけるサッシの横断面図である。
【図８】図６のうち外障子の枠側縦框付近拡大図である。
【発明を実施するための形態】
【００１５】
本発明の実施形態について図面に沿って詳細に説明する。図１には第１の実施形態にお
けるサッシの縦断面図を、図２には第１の実施形態におけるサッシの横断面図を、それぞ
れ示している。これら各図に示すように、本実施形態のサッシは、建物開口部に取付けら
れた枠体１内に内障子２と外障子３とを引き違い状に納めた引き違いサッシである。また
、外障子３の室外側には網戸７が配置されている。
【００１６】
枠体１は、上枠１０と下枠１１及び左右の縦枠１２，１２を方形状に枠組みして形成さ
れている。上枠１０は、アルミ製の金属上枠１０ａの室内側露出部分を樹脂製の樹脂上枠
１０ｂで被覆して構成されている。また、上枠１０の内周面には、内障子２の上辺と外障
子３の上辺をそれぞれ長手方向に案内する室内外２条の上レール部１０ｃ，１０ｃが形成
されている。
【００１７】
下枠１１は、アルミ製の金属下枠１１ａの室内側露出部分を樹脂製の樹脂下枠１１ｂで
被覆して構成されている。また、下枠１１の上面には、内障子２に設けられる戸車３３と
外障子３に設けられる戸車３３を、それぞれ載置して内障子２と外障子３を走行自在とす
る室内外２条の下レール部１１ｃ，１１ｃが形成されている。
【００１８】
縦枠１２は、アルミ製の金属縦枠１２ａの室内側露出部分を樹脂製の樹脂縦枠１２ｂで
被覆して構成されている。このように、枠体１は金属材の室内側露出部分を樹脂材で覆っ
ているので、断熱性を高くすることができると共に、室内側からの意匠性も良好にするこ
とができる。また、各樹脂材の室内側端部には、室内側に向かって延出されたアングル部
１３が形成されている。アングル部１３は、枠体１の室内側に配置される額縁材６の内周
面に当接されている。
【００１９】
内障子２と外障子３は、それぞれ框体４内に複層ガラス板からなるパネル体５を納めて
構成されている。内障子２の框体４は、上框２０と下框３０、枠側縦框４０と内召合わせ
框５０を方形状に框組みして構成されている。外障子３の框体４は、上框２０と下框３０
、枠側縦框４０と外召合わせ框６０を方形状に框組みして構成されている。
【００２０】
框体４を構成する上框２０は、アルミ製の金属上框２１の室内側露出部分を樹脂製の樹
脂上框２２で被覆して構成されている。上框２０の外周側には、上方に向かって開放状の
上案内部２３が形成されている。上案内部２３は、金属上框２１によって形成された底壁
２３ａと、該底壁２３ａの室内側端部から上方に伸びる室内側壁２３ｂと、底壁２３ａの
室外側端部から上方に伸びる室外側壁２３ｃとによって、断面略凹状をなしている。上框
２０の上案内部２３は、上枠１０の上レール部１０ｃを飲み込んでいる。
【００２１】
框体４を構成する下框３０は、アルミ製の金属下框３１の室内側露出部分を樹脂製の樹
脂下框３２で被覆して構成されている。枠側縦框４０も、アルミ製の金属縦框４１の室内
側露出部分を樹脂製の樹脂縦枠４２で被覆して構成されている。また、内召合わせ框５０
についても、アルミ製の金属内召合わせ框５１の室内側露出部分が樹脂製の樹脂内召合わ
せ框５２によって被覆されている。外召合わせ框６０は、室内側に露出する部分が少ない
ので、大半がアルミ製の金属外召合わせ框６１によって構成されているが、室内側面の内
周端部付近は室内側に露出するので、樹脂製の樹脂外召合わせ框６２が設けられている。
【００２２】
枠側縦框４０の構成についてより詳細に説明する。図３には、図１のうち外障子３の枠
側縦框４０付近拡大図を示している。外障子３が配置される側の縦枠１２は、内周面の室
外側に見付方向内側に向かって突出するフィン部１２ｃを有している。
【００２３】
外障子３の枠側縦框４０は、内周側にパネル体５を保持するパネル体保持溝４３が形成
されている。パネル体保持溝４３は、底壁４３ａと、底壁４３ａの室内端部から見付方向
内側に向かって伸びる室内側壁４３ｂと、底壁４３ａの室外端部から見付方向内側に向か
って伸びる室外側壁４３ｃとで、内周側に開口する断面凹状をなしている。パネル体５は
、断面凹状に形成されたグレチャン８を介してパネル体保持溝４３に保持される。
【００２４】
枠側縦框４０を構成する金属縦框４１の室内側面は、パネル体保持溝４３の底壁４３ａ
から見付方向外側に伸びる室内延出部４１ａを有し、枠側縦框４０の室外側面は、パネル
体保持溝４３の底壁４３ａから見付方向外側に伸びる室外延出部４１ｂを有し、室内延出
部４１ａと室外延出部４１ｂ及び底壁４３ａにより、外周側に開口する断面凹状をなして
いる。この領域に縦枠１２のフィン部１２ｃが飲み込まれ、枠側縦框４０の外周面となる
底壁４３ａが枠体１を構成する縦枠１２の内周面と対向する。
【００２５】
枠側縦框４０を構成する底壁４３ａの外周側に向かう面には、加熱発泡材４５と、この
加熱発泡材４５を保持する固定部材７０とが設けられている。加熱発泡材４５は、加熱さ
れて所定温度、例えば２００℃以上となることで発泡して体積が膨張するシート状の部材
である。固定部材７０は、スチール製、あるいはアルミ製であって、加熱発泡材４５の一
方の側部を保持している。
【００２６】
固定部材７０は、底壁４３ａに対して当接し固定される固定面部７１と、固定面部７１
から見付方向外側に向かって突出する段部７２と、段部７２を介して固定面部７１と連続
する保持部７３とを有して構成されている。保持部７３は、固定面部７１と平行な面とな
っており、底壁４３ａとの間に隙間部７４を形成する。この隙間部７４内に加熱発泡材４
５の側部が納められることで、加熱発泡材４５が保持されている。
【００２７】
図４には、固定部材７０の正面図を示している。固定部材７０は枠側縦框４０の長手方
向に沿う長尺状に形成されている。固定部材７０を構成する固定面部７１は、上下端部に
それぞれ見込方向に突出する端部固定部７１ａを有し、これらの端部固定部７１ａ及び固
定面部７１の長手方向複数箇所で、枠側縦框４０の底壁４３ａに対してネジ止め固定され
る。固定面部７１の下端部付近には、加熱発泡材７５が配置されている。また、固定面部
７１の長手方向中央領域に、段部７２及びそれと連続する保持部７３が形成されている。
【００２８】
図５には、固定部材７０及び加熱発泡材を取付けた枠側縦框４０の外周側から見た側面
図を示している。この図に示すように、固定部材７０は枠側縦框４０の上端部付近から下
端部付近にかけて固定され、固定部材７０の上下の端部固定部７１ａ，７１ａ間の領域に
渡って長尺状の加熱発泡材４５が配置されている。加熱発泡材４５は、固定部材７０の保
持部７３によって一側部が長手方向に沿って底壁４３ａとの間で挟持されている。
【００２９】
火災が発生してサッシが高温に晒されると、枠側縦框４０に設けられた加熱発泡材４５
は発泡して体積が膨張し、枠側縦框４０の底壁４３ａと縦枠１２の内周面との間の隙間を
長手方向に沿って塞ぐことができる。これにより、枠体１と外障子３の間の隙間により室
内外が連通して、熱や炎が貫通することを防止することができる。
【００３０】
枠側縦框４０の底壁４３ａのように、縦方向に伸びる面に対して加熱発泡材４５を設け
る場合において、固定部材７０の保持部７３によって加熱発泡材４５を保持固定するよう
にしたことにより、加熱発泡材４５が落下しないよう支えるためのネジ固定を不要とする
ことができ、加熱発泡材４５の取付作業を簡易にすることができる。
【００３１】
また、本実施形態のようにパネル体保持溝４３の底壁４３ａが枠側縦框４０の外周面を
構成している場合には、加熱発泡材４５の取付面とパネル体５との間のスペースがほとん
どないので、ネジを挿通することが困難であるが、ネジ固定を不要としたことにより、か
かる問題も生じないようにすることができる。
【００３２】
図３に示すように、枠側縦框４０のパネル体保持溝４３には、底壁４３ａと室外側壁４
３ｃに沿う断面略Ｌ字状のパネル体保持金具４４が設けられる。パネル体保持金具４４は
スチール製であって、底壁４３ａに対して当接固定される固定面部４４ａと、固定面部４
４ａの室外端部から見付方向内側に向かって伸びる保持面部４４ｂとで構成されている。
パネル体保持金具４４は、火災発生時においてパネル体５が框体４から脱落しないように
、パネル体保持溝４３の室外側壁４３ｃを補強するために設けられている。
【００３３】
パネル体保持金具４４の固定面部４４ａと、枠側縦框４０の底壁４３ａ及び固定部材７
０の固定面部７１は、締結具４６によって共締めされている。すなわち、固定部材７０は
パネル体保持金具４４の裏板として機能する。パネル体保持金具４４がスチール製の固定
部材７０に対して固定されていることにより、火災発生時にも固定強度を十分に確保する
ことができ、パネル体５の保持状態を維持することができる。
【００３４】
加熱発泡材４５を固定する保持部７３は、パネル体保持金具４４の裏板となる固定部材
７０に形成されているので、加熱発泡材４５の固定のための新たな部品を設ける必要がな
く、また、前述のようにネジ固定も不要としているので、部品点数を削減することができ
る。
【００３５】
また、固定部材７０は、枠側縦框４０の長手方向に沿う長尺状に形成されているので、
火災発生時において枠側縦框４０の熱伸びや屈曲などの変形を抑制することができる。こ
れにより、枠側縦框４０と枠体１との間に隙間が発生することを抑制することができ、防
火性能を高くすることができる。このように、本実施形態の固定部材７０は、パネル体保
持金具４４の裏板としての機能と、加熱発泡材４５を保持固定する機能、及び枠側縦框４
０の火災時における強度を大きくする機能を有している。
【００３６】
ここでは、外障子３の枠側縦框４０について説明したが、内障子２の枠側縦框４０も同
様の構成を有しており、同じ固定部材７０及び加熱発泡材４５が設けられていて、同様の
機能を有している。
【００３７】
次に、本発明の第２の実施形態について説明する。図６には第２の実施形態におけるサ
ッシの縦断面図を、図７には第２の実施形態におけるサッシの横断面図を、それぞれ示し
ている。これら各図に示すように、本実施形態のサッシは、建物開口部に取付けられた枠
体１０１内に内障子１０２と外障子１０３とを引き違い状に納めた引き違いサッシである
。また、外障子１０３の室外側には網戸１０７が配置されている。
【００３８】
枠体１０１は、上枠１１０と下枠１１１及び左右の縦枠１１２，１１２を方形状に枠組
みして形成されている。上枠１１０と下枠１１１及び縦枠１１２は、いずれもアルミ製で
ある。すなわち、第２の実施形態のサッシはアルミサッシである。なお、枠体１０１の室
内端部には、樹脂製のアングル部１１３が設けられていて、枠体１０１の室内側に設けら
れる額縁材１０６の内周面に当接されている。
【００３９】
上枠１１０の内周面には、内障子１０２の上辺と外障子１０３の上辺をそれぞれ長手方
向に案内する室内外２条の上レール部１１０ｃ，１１０ｃが形成されている。下枠１１１
の上面には、内障子１０２に設けられる戸車１３３と外障子１０３に設けられる戸車１３
３を、それぞれ載置して内障子１０２と外障子１０３を走行自在とする室内外２条の下レ
ール部１１１ｃ，１１１ｃが形成されている。
【００４０】
内障子１０２と外障子１０３は、それぞれ框体１０４内に複層ガラス板からなるパネル
体１０５を納めて構成されている。内障子１０２の框体１０４は、上框１２０と下框１３
０、枠側縦框１４０と内召合わせ框１５０を方形状に框組みして構成されている。外障子
１０３の框体１０４は、上框１２０と下框１３０、枠側縦框１４０と外召合わせ框１６０
を方形状に框組みして構成されている。
【００４１】
框体１０４を構成する上框１２０と下框１３０、枠側縦框１４０、内召合わせ框１５０
及び外召合わせ框１６０は、いずれもアルミ製である。上框１２０の外周側には、上方に
向かって開放状の上案内部１２３が形成されている。上框１２０の上案内部１２３は、上
枠１１０の上レール部１１０ｃを飲み込んでいる。
【００４２】
図８には、図６のうち外障子１０３の枠側縦框１４０付近拡大図を示している。外障子
１０３が配置される側の縦枠１１２は、内周面の室外側に見付方向内側に向かって突出す
るフィン部１１２ｃを有している。
【００４３】
外障子１０３の枠側縦框１４０は、内周側にパネル体１０５を保持するパネル体保持溝
１４３が形成されている。パネル体保持溝１４３は、底壁１４３ａと、底壁１４３ａの室
内端部から見付方向内側に向かって伸びる室内側壁１４３ｂと、底壁１４３ａの室外端部
から見付方向内側に向かって伸びる室外側壁１４３ｃとで、内周側に開口する断面凹状を
なしている。パネル体１０５は、断面凹状に形成されたグレチャン１０８を介してパネル
体保持溝１４３に保持される。
【００４４】
枠側縦框１４０を構成する金属縦框１４１の室内側面は、パネル体保持溝１４３の底壁
１４３ａから見付方向外側に伸びる室内延出部１４１ａを有し、枠側縦框１４０の室外側
面は、パネル体保持溝１４３の底壁１４３ａから見付方向外側に伸びる室外延出部１４１
ｂを有し、室内延出部１４１ａと室外延出部１４１ｂ及び底壁１４３ａにより、外周側に
開口する断面凹状をなしている。この領域に縦枠１１２のフィン部１１２ｃが飲み込まれ
、枠側縦框１４０の外周面となる底壁１４３ａが枠体１０１を構成する縦枠１１２の内周
面と対向する。
【００４５】
枠側縦框１４０を構成する底壁１４３ａの外周側に向かう面には、加熱発泡材１４５と
、この加熱発泡材１４５を保持する固定部材１７０とが設けられている。固定部材１７０
は、スチール製、あるいはアルミ製であって、加熱発泡材１４５の一方の側部を保持して
いる。
【００４６】
固定部材１７０は、底壁１４３ａに対して当接し固定される固定面部１７１と、固定面
部１７１から見付方向外側に向かって突出する段部１７２と、段部１７２を介して固定面
部１７１と連続する保持部１７３とを有して構成されている。保持部１７３は、固定面部
１７１と平行な面となっており、底壁１４３ａとの間に隙間部１７４を形成する。この隙
間部１７４内に加熱発泡材１４５の側部が納められることで、加熱発泡材１４５が保持さ
れている。
【００４７】
このように、本実施形態においても、第１の実施形態と同様の構成を有する固定部材１
７０によって、加熱発泡材１４５が保持固定される。加熱発泡材１４５及び固定部材１７
０は、図５に示すものと同形状であり、固定部材１７０が枠側縦框１４０の長手方向に沿
って取付けられることで、加熱発泡材１４５の一側部が保持固定される。これによって、
加熱発泡材１４５が落下しないよう支えるためのネジ固定を不要とすることができ、加熱
発泡材１４５の取付作業を簡易にすることができる。
【００４８】
また、本実施形態の枠側縦框１４０にも、パネル体保持溝１４３には底壁１４３ａと室
外側壁１４３ｃに沿う断面略Ｌ字状のパネル体保持金具１４４が設けられる。パネル体保
持金具１４４は、底壁１４３ａに対して当接固定される固定面部１４４ａと、固定面部１
４４ａの室外端部から見付方向内側に向かって伸びる保持面部１４４ｂとで構成されてい
る。
【００４９】
パネル体保持金具１４４の固定面部１４４ａと、枠側縦框１４０の底壁１４３ａ及び固
定部材１７０の固定面部１７１は、締結具１４６によって共締めされている。このように
、固定部材１７０は、パネル体保持金具１４４の裏板としての機能と、加熱発泡材１４５
を保持固定する機能、及び枠側縦框１４０の火災時における強度を大きくする機能を有す
ることとなる。
【００５０】
以上、本発明の実施形態について説明したが、本発明の適用は本実施形態には限られず
、その技術的思想の範囲内において様々に適用されうるものである。第１及び第２の実施
形態では、枠側縦框に設けられる加熱発泡材を固定部材で保持固定したものを示したが、
召合わせ框など框体の他の部分に同様の構造を設けるようにしてもよい。また、開口部装
置の種類としては、第１及び第２の実施形態のような引き違いサッシには限られず、開き
窓サッシや嵌め殺し窓サッシ、あるいは框体を有するドアなど、枠体内に障子などの本体
を納めてなる開口部装置であれば、どのような種類であっても本発明を適用することがで
きる。
【符号の説明】
【００５１】
１    枠体
２    内障子
３    外障子
４    框体
５    パネル体
１０    上枠
１１    下枠
１２    縦枠
２０    上框
３０    下框
４０    枠側縦框
４１    金属縦框
４２    樹脂縦框
４３    パネル体保持溝
４３ａ  底壁
４３ｂ  室内側壁
４３ｃ  室外側壁
４４    パネル体保持金具
４４ａ  固定面部
４４ｂ  保持面部
４５    加熱発泡材
４６    締結具
５０    内召合わせ框
６０    外召合わせ框
７０    固定部材
７１    固定面部
７２    段部
７３    保持部
７４    隙間部
７５    加熱発泡材
【図１】
2014109092.tif 000003
【図２】
2014109092.tif 000004
【図３】
2014109092.tif 000005
【図４】
2014109092.tif 000006
【図５】
2014109092.tif 000007
【図６】
2014109092.tif 000008
【図７】
2014109092.tif 000009
【図８】
2014109092.tif 000010